(57)【特許請求の範囲】
【請求項１】
掃除機の吸引口を有する吸引部と、掃除機のホース管との接続部と、該吸引部と該接続部を連結する連結部とを備え、前記連結部は前記吸引部に対して上方へ曲げられ、前記吸引部は空気の流路方向に長い中空に形成され少なくとも底面に前記吸引口が設けられ、塵埃を拭き取る払拭体が前記吸引部の外周に着脱され、前記払拭体は前記吸引口の位置や大きさに係合した開口が設けられていることを特徴とする掃除機の吸引体。
【請求項２】
空気の流路方向に長い中空に形成された、掃除機の吸引口を有する吸引部の外周に密着して着脱され、前記吸引部の少なくとも底面に塵埃を拭き取る拭き取り部を有し、前記吸引口の位置や大きさに係合した開口が設けられていることを特徴とする払拭体。
【請求項３】
前記拭き取り部を外側に有する中空に形成されていることを特徴とする請求項２に記載の払拭体。
【請求項４】
請求項１に記載の吸引体に請求項２と請求項３のいずれか一項に記載の払拭体が取り付けられていることを特徴とする掃除機のノズル。
【発明の詳細な説明】
【技術分野】
【０００１】  本発明は、物が多い場所や空間が限られた場所やその場所にある物などの塵埃を掃除機で拭きながら吸引除去するのに好適な掃除機のノズルに関する。
【背景技術】
【０００２】  従来、机やテーブルの上、飾り棚や本棚など物が多い場所や空間が限られた場所やその場所にある物などの塵埃は拭き掃除をしている。【０００３】  床以外の塵埃を除去する掃除機のノズルもある。吸引掃除と拭き掃除を同時に行うことのできる吸引掃除機用ノズルも開示されている。（特許文献１参照）
【先行技術文献】
【特許文献】
【０００４】
【特許文献１】特開２００１−８８６５号公報
【発明の概要】
【発明が解決しようとする課題】
【０００５】  前記の場所や物などを拭き掃除するのは塵埃が飛散しやすく手間もかかる。【０００６】  掃除機で吸引するのは困難で、ノズルが大きいと物を倒したり、傷つけてしまうし、ノズルが小さいと何度も動かさないといけないので塵埃が残りやすく効率が悪い。【０００７】  ブラシを有するノズルは、傷が付きやすく、拭かないので塵埃も残りやすく、狭い所ではブラシが邪魔になったり、ブラシ等に付いた塵埃も取り除きにくい。【０００８】  また、汚れた所に使用したノズルを、テーブルの上などに使用するのは、衛生上好ましくない。【０００９】  特許文献１に記載の先端部が山型形状をなすノズルは、吸引掃除と拭き掃除を同時に行うが、形状が大きく、前記の場所では自由に動かせず、また小物には使用できない。【００１０】  本掃除機のノズルは、前記の物が多い場所や空間が限られた場所やその場所にある物などの塵埃を清掃面を傷めず効率よく拭きながら吸引除去し、またノズル自体も清潔に保つことができる掃除機のノズルを提供する。
【課題を解決するための手段】
【００１１】  掃除機の吸引口を有する吸引部３と、掃除機のホース管との接続部５と、該吸引部３と該接続部５を連結する連結部４とを備え、連結部４は吸引部３に対して上方へ曲げられ、吸引部３は空気の流路方向に長い中空に形成され少なくとも底面に吸引口が設けられ、塵埃を拭き取る払拭体２が吸引部３の外周に着脱され、払拭体２は吸引口の位置や大きさに係合した開口が設けられていることを特徴とする掃除機の吸引体。【００１２】  上記により、吸引体１は吸引部３のみが清掃面に接し、また、ブラシを有していないので、物が多い場所や空間が限られた場所でもノズルが入りやすく、コンパクトに縦、横、垂直、上と効率よく動かすことができる。また、払拭体２が着脱されるので、払拭体を外すと水洗いでき、乾きやすい。【００１３】  払拭体２は空気の流路方向に長い中空に形成された、掃除機の吸引口を有する吸引部３の外周に密着して着脱され、吸引部３の少なくとも底面に塵埃を拭き取る拭き取り部を有し、吸引口の位置や大きさに係合した開口が設けられている。【００１４】  払拭体２の開口は、単純に並んだ小孔ではなく吸引口から効率的に塵埃が吸引されるよう吸引口の位置、大きさに合わせた開口である。【００１５】  吸引体の吸引部３の外周に払拭体２が取り付けられたノズルを使用する。【００１６】  上記により、平面のみでなく曲面にもフィットしやすく、小物にも使用しやすい。
【発明の効果】
【００１７】  物が多い場所や空間が限られた場所やその場所にある物などの塵埃を掃除機で清掃面を傷めず、効率よく拭きながら吸引除去でき、ノズルも清潔に保つことができるので、衛生的であり、また家事の労力も軽減される。
【図面の簡単な説明】
【００１８】
【図１】掃除機のノズルの下から見た斜視図である。
【図２】吸引体の斜視図である。
【図３】（Ａ）は吸引体の下面図、（Ｂ）はＡ−Ａ線の吸引体の一部拡大断面図である。
【図４】吸引部の吸引口の一例である。
【図５】払拭体の一例である。
【発明を実施するための形態】
【００１９】  以下、本発明の実施例について図面を参照して説明する。
【００２０】  図１は、本発明の形態を示す実施例である。
【００２１】  本掃除機のノズルは、吸引体１と払拭体２から構成され、該払拭体は該吸引体に差し込まれ、この状態で掃除機のホース管に接続して塵埃を拭きながら吸引除去する。
【００２２】  図２において、吸引体１は、掃除機の吸引口を有する吸引部３と、掃除機のホース管との接続部５と、空気の流路方向に垂直な断面形状が異なる吸引部３と接続部５を連結する連結部４とを備え、連通している。
【００２３】  吸引部３は、空気の流路方向に長い扁平中空に形成され、吸引部の底面のみが清掃面に接するようにするため、吸引口を下にして、連結部４は吸引部３に対して上方へ曲げられている。吸引部の空気の流路方向に垂直な断面形状は、上辺が下辺より数ミリ短くまた上部の両角が丸くなっている。
【００２４】  図２、図３において、吸引部３に近い連結部４の一端辺りの上下面に払拭体２を挟んで固定する固定部６、６Ａが設けられている。払拭体２が安定して吸引体１に差し込まれていれば、固定部６、６Ａは設けられなくてもよい。
【００２５】  図３に示すように、吸引口は吸引部の先端７と底面に２か所８、９に開口されている。底面の吸引口は、先端に近い方の吸引口８は角が丸い三角、他方の吸引口９は略楕円の形で、間隔は等間隔になっている。
【００２６】  吸引部３は、先端に近い方の吸引口の底辺部８Ａから幅方向、高さ方向は先端に向かい徐々に小さく形成され、先端の幅方向は略台形状に、また高さ方向は上面は先端に向かって徐々に下面に向かい、先端は塵埃が吸引されやすいよう斜面で切断されたように上面が下面に比べ短く形成されている。
【００２７】  吸引部３の内部は、吸引力を分割するため、先端に近い方の吸引口の底辺部８Ａから連結部４の手前まで上部を大きく上下を分割する平面１０が設けられている。平面１０により先端周辺の吸引力が保たれる。
【００２８】  払拭体２は、塵埃を拭く拭き取り部を外側に有し、両端が開口した中空に形成されている。払拭体２は、吸引部３の外周に取り付けられた時に、吸引部３の底面に拭き取り部を有し、吸引部の吸引口の位置、大きさに係合した開口が設けられている。清掃面には、拭き取り部のみが接するので、清掃面を傷めない。
【００２９】  前述の発明を実施するための形態は一例であり、吸引部３の空気の流路方向に垂直な断面の形状は略円形や略半円形などの形状であってもよい。中空であればよい。略円形など清掃面に接する底面の部分が少ない場合は、吸引口は底面辺りに設けてもよい。
【００３０】  吸引口は、吸引部３の少なくとも底面に開口されてあればよく、その他先端、立面、上面、全周に開口されてもよい。また、円形、角形、線状、格子状、小さくして個数を多く開口するなど様々な開口が考えられる。吸引部３は長手方向の半分より先端側の使用頻度が多いので、吸引部３の先端側と根元側に分けて吸引口を設けるのが好ましい。
【００３１】  底面以外の外周に吸引口を設ける場合は、吸引力を分割する面は上記平面１０に限らず、図４に示すように、例えば立面の下方にも吸引口を設ける場合、平面１０は立面の内側に沿って立面の吸引口までを囲み、隣り合った底面と立面の吸引口が同じ吸引力を用いるようにする。前記により、底面の一方の吸引口が清掃面に接した場合、清掃面に接した底面の吸引口に隣り合った立面の吸引口の吸引力が主に強くなる。
【００３２】  把手は、掃除機の把手を利用するが、必要であれば吸引体１に把手を形成してもよい。
【００３３】  図５において、払拭体２の拭き取り部は、立面や全周に設けてもよい。払拭体全体が拭き取り部でもよい。払拭体の開口も吸引部の吸引口と同様に、円形、角形、格子状に開口したり、小さくして個数を多く開口したり、線状、放射状に切れ目を入れたり、様々な開口が考えられる。
【００３４】  また、払拭体２に開口部を形成するのではなく、払拭体を形成する時に、線状、格子状などあらかじめ隙間を作って形成してもよい。いずれにしても効率的に塵埃が吸引されるよう吸引部の吸引口の位置、大きさに係合した開口であればよい。
【００３５】  払拭体の拭き取り部は、塵埃を拭く素材であればよく、繊維、不織布、紙などが考えられ、素材によっては、洗って何度も使用したり、使い捨てにすることもできる。
【００３６】  また、用途によって掃除機のノズルを買い替えなくても、拭き取り部の素材、厚み、範囲、形状、起毛の長さや密度などが異なる払拭体を付け替えるだけで、用途の異なるノズルに変えることができる。
【００３７】  また、払拭体は、中空に形成されなくとも、一枚の払拭体であってもよく、吸引体で固定する場合は、挟んだり、突起を形成して引っ掛けたり、マジックテープを設けたり、切れ目を入れたプラスチックやゴムなどの弾性の部材で固定するなど固定部を吸引体の外周に設けて払拭体を吸引部に取り付ける。固定部は、邪魔にならないよう上方に設けるのが好ましい。吸引体に固定部を設けない場合は、払拭体に突起と切り込みを設け切り込みを突起に引っ掛けたり、テープなどの粘着手段で吸引体に取り付けるなど払拭体で固定できるように形成する。
【符号の説明】
【００３８】  １：吸引体、２：払拭体、３：吸引部、４：連結部、５：接続部、６，６Ａ：固定部、  ７，８，９：吸引口、１０：吸引力を分割する面
【図１】
0006890906.tif 000002
【図２】
0006890906.tif 000003
【図３】
0006890906.tif 000004
【図４】
0006890906.tif 000005
【図５】
0006890906.tif 000006